(57)【要約】【課題】投射画像のホワイトバランスを維持することが可能なプロジェクターを提供する。【解決手段】固体光源と、拡散部材と、励起光源と、蛍光体と、光変調装置と、投射光学系と、第１遮光部材と、第２遮光部材と、を含み、拡散光の光軸の方向から見たときの第１遮光部材の開口部の面積を第１開口面積Ａ１、拡散光の光軸の方向から見たときの第１遮光部材が拡散光を遮光する部分の面積を第１遮光面積Ａ２、蛍光の光軸の方向から見たときの第２遮光部材の開口部の面積を第２開口面積Ｂ１、蛍光の光軸の方向から見たときの第２遮光部材が蛍光を遮光する部分の面積を第２遮光面積Ｂ２としたとき、第１開口面積Ａ１に対する第１遮光面積Ａ２の比Ａ２／Ａ１が、第２開口面積Ｂ１に対する第２遮光面積Ｂ２の比Ｂ２／Ｂ１よりも大きい。【選択図】図１
2014106452.tif 000002
【特許請求の範囲】
【請求項１】
固体光源と、
前記固体光源から射出された光を拡散させて拡散光として射出する拡散部材と、
励起光源と、
前記励起光源から射出された光によって励起され、蛍光を放射する蛍光体と、
前記拡散部材から射出された前記拡散光と前記蛍光体から放射された前記蛍光とを画像情報に応じて変調する光変調装置と、
前記光変調装置によって変調された光を投射画像として投射する投射光学系と、
前記拡散部材と前記光変調装置との間の光路上に配置され、前記拡散光の光軸を中心とする開口部を有する第１遮光部材と、
前記蛍光体と前記光変調装置との間の光路上に配置され、前記蛍光の光軸を中心とする開口部を有する第２遮光部材と、を含み、
前記拡散光の光軸の方向から見たときの前記第１遮光部材の前記開口部の面積を第１開口面積Ａ１、前記拡散光の光軸の方向から見たときの前記第１遮光部材が前記拡散光を遮光する部分の面積を第１遮光面積Ａ２、前記蛍光の光軸の方向から見たときの前記第２遮光部材の前記開口部の面積を第２開口面積Ｂ１、前記蛍光の光軸の方向から見たときの前記第２遮光部材が前記蛍光を遮光する部分の面積を第２遮光面積Ｂ２としたとき、
前記第１開口面積Ａ１に対する前記第１遮光面積Ａ２の比Ａ２／Ａ１が、前記第２開口面積Ｂ１に対する前記第２遮光面積Ｂ２の比Ｂ２／Ｂ１よりも大きいプロジェクター。  
【請求項２】
前記第１遮光部材は、前記固体光源から射出される光の光強度分布に対応して、前記比Ａ２／Ａ１が調整可能に構成されている請求項１に記載のプロジェクター。
【請求項３】
前記第２遮光部材は、前記励起光源から射出される光の光強度分布に対応して、前記比Ｂ２／Ｂ１が調整可能に構成されている請求項１または２に記載のプロジェクター。
【請求項４】
前記第１遮光部材は、前記投射光学系によって投射される前記投射画像の輝度またはコントラストに対応して、前記比Ａ２／Ａ１が調整可能に構成されている請求項１から３までのいずれか一項に記載のプロジェクター。
【請求項５】
前記第２遮光部材は、前記投射光学系によって投射される前記投射画像の輝度またはコントラストに対応して、前記比Ｂ２／Ｂ１が調整可能に構成されている請求項１から４までのいずれか一項に記載のプロジェクター。
【請求項６】
前記拡散部材と前記光変調装置との間の光路上には、前記拡散部材から射出された前記拡散光を平行化する第１コリメート光学系と、前記第１コリメート光学系から射出された光の輝度分布を均一化する一対の第１レンズアレイと、前記一対の第１レンズアレイから射出された光の偏光状態を揃える第１偏光変換素子と、が配置されており、
前記第１遮光部材は、前記一対の第１レンズアレイの間の光路上または前記一対の第１レンズアレイと前記第１偏光変換素子との間の光路上に配置されている請求項１から５までのいずれか一項に記載のプロジェクター。
【請求項７】
前記蛍光体と前記光変調装置との間の光路上には、前記蛍光体から放射された前記蛍光を平行化する第２コリメート光学系と、前記第２コリメート光学系から射出された光の輝度分布を均一化する一対の第２レンズアレイと、前記一対の第２レンズアレイから射出された光の偏光状態を揃える第２偏光変換素子と、が配置されており、
前記第２遮光部材は、前記一対の第２レンズアレイの間の光路上または前記一対の第２レンズアレイと前記第２偏光変換素子との間の光路上に配置されている請求項１から６までのいずれか一項に記載のプロジェクター。
【発明の詳細な説明】
【技術分野】
【０００１】
本発明は、プロジェクターに関する。
【背景技術】
【０００２】
コントラスト改善のために照明光学系に絞りを有する構成が知られている。例えば、特許文献１のプロジェクターでは、ライトバルブの入射側に絞りを設置し、コントラストを低下させる要因となる斜め入射光を遮光している。フルカラー画像を表示する場合には、ＲＧＢの３つのライトバルブに対してそれぞれ絞りを設置すればよい。
【０００３】
３板式のプロジェクターでは、白色光源から射出された光をＲＧＢの３つの色光に分離し、それぞれの色光をＲＧＢの３つのライトバルブに導く。ライトバルブの入射側に絞りを設置する場合には、それぞれの絞りの量を等しくし、ホワイトバランスが崩れないようにすることが好ましい。
【先行技術文献】
【特許文献】
【０００４】
【特許文献１】特開２００４−３６１８５６号公報
【発明の概要】
【発明が解決しようとする課題】
【０００５】
一方、近年では、固体光源と蛍光体とを組み合わせたプロジェクターが開発されている。この種のプロジェクターとしては、固体光源と蛍光体とを組み合わせた第１光源部と、固体光源と拡散部材とを組み合わせた第２光源部とを併用したプロジェクターが知られている。例えば、第１光源部によってＲとＧの光を作成し、第２光源部によってＢの光を作成する。そして、これらの光を分離してそれぞれＲＧＢの３つにライトバルブに導く。
【０００６】
この種のプロジェクターにおいても、絞りを利用してコントラストを改善することが可能である。しかしながら、通常の３板式のプロジェクターのようにＲＧＢの絞りを等しくしてしまうと、表示が青っぽくなり、ホワイトバランスが大きく崩れてしまうことが本発明者の検討によって明らかになっている。
【０００７】
本発明は、上記の課題を解決するためになされたものであって、投射画像のホワイトバランスを維持することが可能なプロジェクターを提供することを目的とする。
【課題を解決するための手段】
【０００８】
上記の目的を達成するために、本発明は以下の手段を採用した。
（１）すなわち、本発明の一態様におけるプロジェクターは、固体光源と、前記固体光源から射出された光を拡散させて拡散光として射出する拡散部材と、励起光源と、前記励起光源から射出された光によって励起され、蛍光を放射する蛍光体と、前記拡散部材から射出された前記拡散光と前記蛍光体から放射された前記蛍光とを画像情報に応じて変調する光変調装置と、前記光変調装置によって変調された光を投射画像として投射する投射光学系と、前記拡散部材と前記光変調装置との間の光路上に配置され、前記拡散光の光軸を中心とする開口部を有する第１遮光部材と、前記蛍光体と前記光変調装置との間の光路上に配置され、前記蛍光の光軸を中心とする開口部を有する第２遮光部材と、を含み、前記拡散光の光軸の方向から見たときの前記第１遮光部材の前記開口部の面積を第１開口面積Ａ１、前記拡散光の光軸の方向から見たときの前記第１遮光部材が前記拡散光を遮光する部分の面積を第１遮光面積Ａ２、前記蛍光の光軸の方向から見たときの前記第２遮光部材の前記開口部の面積を第２開口面積Ｂ１、前記蛍光の光軸の方向から見たときの前記第２遮光部材が前記蛍光を遮光する部分の面積を第２遮光面積Ｂ２としたとき、前記第１開口面積Ａ１に対する前記第１遮光面積Ａ２の比Ａ２／Ａ１が、前記第２開口面積Ｂ１に対する前記第２遮光面積Ｂ２の比Ｂ２／Ｂ１よりも大きい。
【０００９】
２つの光源部を併用したプロジェクターにおいて上述のような課題が生じた原因としては、次のことが考えられる。すなわち、固体光源と拡散部材を用いた光源部では、拡散部材によって光を拡散させてはいるものの、固体光源が持つ強い指向性を完全に打ち消すことができずに、ある程度指向性の高い状態で光が射出されることになる。一方、固体光源と蛍光体を用いた光源部では、蛍光体から全方向に向けて等方的に光が放射されるため、殆ど指向性のない状態で光が射出される。そのため、これらの光を同じ絞りを用いて遮光しようとすると、指向性の高い光のほうが絞りを通過する光の光量が多くなるため、明るい表示となる。
【００１０】
そこで、本発明のプロジェクターでは、指向性の高い光（拡散部材から射出された拡散光）については絞りを大きくし、指向性の低い光（蛍光体から放射された蛍光）については絞りを小さくすることによって、絞りを通過する光の光量のバランスをとるようにしている。この構成によれば、拡散光における光強度分布のうち裾の部分（光強度が低い部分）を蛍光における光強度分布のうち裾の部分（光強度が低い部分）よりも大きく遮光することができる。そのため、第１開口面積Ａ１に対する第１遮光面積Ａ２の比Ａ２／Ａ１または第２開口面積Ｂ１に対する第２遮光面積Ｂ２の比Ｂ２／Ｂ１を所定の値に設定することにより、光変調装置に入射する拡散光の光量と蛍光の光量とを等しくすることができる。従って、投射画像のホワイトバランスを維持することができる。
【００１１】
（２）上記（１）に記載のプロジェクターでは、前記第１遮光部材は、前記固体光源から射出される光の光強度分布に対応して、前記比Ａ２／Ａ１が調整可能に構成されていてもよい。
【００１２】
この構成によれば、拡散光における光強度分布の裾の部分（光強度が低い部分）が広かったり狭かったりする場合であっても、光変調装置に入射する拡散光の光量を所定の値に調整することができる。従って、光変調装置に入射する拡散光の光量と蛍光の光量とを等しくすることが容易となる。
【００１３】
（３）上記（１）または（２）に記載のプロジェクターでは、前記第２遮光部材は、前記励起光源から射出される光の光強度分布に対応して、前記比Ｂ２／Ｂ１が調整可能に構成されていてもよい。
【００１４】
この構成によれば、蛍光における光強度分布の裾の部分（光強度が低い部分）が広かったり狭かったりする場合であっても、光変調装置に入射する蛍光の光量を所定の値に調整することができる。従って、光変調装置に入射する拡散光の光量と蛍光の光量とを等しくすることが容易となる。
【００１５】
（４）上記（１）から（３）までのいずれか一項に記載のプロジェクターでは、前記第１遮光部材は、前記投射光学系によって投射される前記投射画像の輝度またはコントラストに対応して、前記比Ａ２／Ａ１が調整可能に構成されていてもよい。
【００１６】
この構成によれば、投射画像の輝度またはコントラストを高めたい場合等の目的に応じて、光変調装置に入射する拡散光の光量を適宜調整することができる。従って、投射画像の高輝度化または高コントラスト化を図ることが容易となる。
【００１７】
（５）上記（１）から（４）までのいずれか一項に記載のプロジェクターでは、前記第２遮光部材は、前記投射光学系によって投射される前記投射画像の輝度またはコントラストに対応して、前記比Ｂ２／Ｂ１が調整可能に構成されていてもよい。
【００１８】
この構成によれば、投射画像の輝度またはコントラストを高めたい場合等の目的に応じて、光変調装置に入射する蛍光の光量を適宜調整することができる。従って、投射画像の高輝度化または高コントラスト化を図ることが容易となる。
【００１９】
（６）上記（１）から（５）までのいずれか一項に記載のプロジェクターでは、前記拡散部材と前記光変調装置との間の光路上には、前記拡散部材から射出された前記拡散光を平行化する第１コリメート光学系と、前記第１コリメート光学系から射出された光の輝度分布を均一化する一対の第１レンズアレイと、前記一対の第１レンズアレイから射出された光の偏光状態を揃える第１偏光変換素子と、が配置されており、前記第１遮光部材は、前記一対の第１レンズアレイの間の光路上または前記一対の第１レンズアレイと前記第１偏光変換素子との間の光路上に配置されていてもよい。
【００２０】
拡散光の光強度分布は、拡散部材と光変調装置との間の光路上の位置によって異なる。
仮に、第１遮光部材が第１偏光変換素子と光変調装置との間の光路上に配置される構成であると、拡散光の光強度分布が初期の分布と大きく異なる場合がある。この場合、拡散光を効果的に遮光することが困難となる。
これに対し、第１遮光部材が一対の第１レンズアレイの間の光路上または一対の第１レンズアレイと第１偏光変換素子との間の光路上に配置される構成によれば、第１遮光部材が第１偏光変換素子と光変調装置との間の光路上に配置される構成に比べて、第１遮光部材の配置位置が拡散部材に近い。そのため、拡散光の光強度分布が初期の分布と異なることが抑制される。
従って、この構成によれば、拡散光を効果的に遮光しやすくなる。
【００２１】
（７）上記（１）から（６）までのいずれか一項に記載のプロジェクターでは、前記蛍光体と前記光変調装置との間の光路上には、前記蛍光体から放射された前記蛍光を平行化する第２コリメート光学系と、前記第２コリメート光学系から射出された光の輝度分布を均一化する一対の第２レンズアレイと、前記一対の第２レンズアレイから射出された光の偏光状態を揃える第２偏光変換素子と、が配置されており、前記第２遮光部材は、前記一対の第２レンズアレイの間の光路上または前記一対の第２レンズアレイと前記第２偏光変換素子との間の光路上に配置されていてもよい。
【００２２】
蛍光の光強度分布は、蛍光体と光変調装置との間の光路上の位置によって異なる。
仮に、第２遮光部材が第２偏光変換素子と光変調装置との間の光路上に配置される構成であると、蛍光の光強度分布が初期の分布と大きく異なる場合がある。この場合、蛍光を効果的に遮光することが困難となる。
これに対し、第２遮光部材が一対の第２レンズアレイの間の光路上または一対の第２レンズアレイと第２偏光変換素子との間の光路上に配置される構成によれば、第２遮光部材が第２偏光変換素子と光変調装置との間の光路上に配置される構成に比べて、第２遮光部材の配置位置が蛍光体に近い。そのため、蛍光の光強度分布が初期の分布と異なることが抑制される。
従って、この構成によれば、蛍光を効果的に遮光しやすくなる。
【図面の簡単な説明】
【００２３】
【図１】本発明の一実施形態に係るプロジェクターの概略構成を示す図である。
【図２】拡散光の光強度分布を示す図である。
【図３】蛍光の光強度分布を示す図である。
【図４】比較例に係る遮光部材の平面図である。
【図５】比較例に係る拡散光の遮光状態を説明するための図である。
【図６】比較例に係る蛍光の遮光状態を説明するための図である。
【図７】本実施形態に係る第１遮光部材の平面図である。
【図８】本実施形態に係る第２遮光部材の平面図である。
【図９】第１開口面積及び第１遮光面積を説明するための図である。
【図１０】第２開口面積及び第２遮光面積を説明するための図である。
【図１１】拡散光の光強度分布と第１遮光面積との関係を説明するための図である。
【図１２】蛍光の光強度分布と第２遮光面積との関係を説明するための図である。
【図１３】本実施形態に係る拡散光の遮光状態を説明するための図である。
【図１４】本実施形態に係る蛍光の遮光状態を説明するための図である。
【発明を実施するための形態】
【００２４】
以下、本発明の一実施形態について、図１〜図１４を参照して説明する。
本実施形態においては、プロジェクター１００として、光変調装置で生成された画像情報を含む色光を投射光学系を介してスクリーン（被投写面）上に投写する投射型のプロジェクターを例に挙げて説明する。
【００２５】
尚、以下の説明においては、必要に応じてＸＹＺ直交座標系を設定し、このＸＹＺ直交座標系を参照しつつ各部材の位置関係について説明する。本実施形態においては、光源装置１０から射出される光の光軸に平行な方向をＸ方向としており、Ｘ方向に直交する２方向をＹ方向、Ｚ方向としている。
ここで、光源装置１０から射出される光の光軸は、第１光源装置１１（固体光源２１）から射出される光の光軸ＡＸ１、第２光源装置１２（励起光源２２）から射出される光の光軸ＡＸ２を示す。
光軸ＡＸ１は、特許請求の範囲に記載の「拡散光の光軸」に相当する。光軸ＡＸ２は、特許請求の範囲に記載の「蛍光の光軸」に相当する。
【００２６】
図１は、本実施形態のプロジェクター１００の概略構成図である。
図１に示すように、本実施形態のプロジェクター１００は、光源装置１０と、色分離導光光学系２０と、光変調部４００と、クロスダイクロイックプリズム５００と、投射光学系６００と、を備えている。
【００２７】
光変調部４００は、光変調装置として、赤色光用の液晶光変調装置４００Ｒ、緑色光用の液晶光変調装置４００Ｇ、青色光用の液晶光変調装置４００Ｂにより構成されている。
【００２８】
光源装置１０は、第１光源装置１１と、第２光源装置１２と、を備えている。光源装置１０は、赤色光、緑色光及び青色光を含む光を射出する。本実施形態において、第１光源装置１１は青色光を射出し、第２光源装置１２は赤色光及び緑色光を含む黄色光を射出する。
【００２９】
第１光源装置１１は、固体光源２１と、集光レンズ３１と、拡散部材４１と、回転機構３０と、第１コリメート光学系６１と、一対の第１レンズアレイ（前側レンズアレイ１２１及び後側レンズアレイ１３１）と、第１偏光変換素子１４１と、重畳レンズ１５１と、第１遮光部材７１と、を備えている。
【００３０】
固体光源２１は、青色のレーザー光Ｌａを射出するレーザー光源である。レーザー光Ｌａは、青色光の波長帯域を有する。例えば、レーザー光Ｌａの発光強度のピークは４４５ｎｍであり、レーザー光Ｌａの波長帯域は４３０ｎｍ〜４５０ｎｍの範囲である。
【００３１】
集光レンズ３１は、固体光源２１から射出されたレーザー光Ｌａを略集光した状態で拡散部材４１に入射させる。
【００３２】
回転機構３０は、拡散部材４１を支持する円板４０と、円板４０を回転させるモーター５０と、を備えている。円板４０は、例えば、石英ガラス、水晶、サファイア、光学ガラス、透明樹脂等の透明な材料からなる。これにより、レーザー光Ｌａは円板４０を透過する。
【００３３】
拡散部材４１は、円板４０上のうちレーザー光Ｌａが入射する領域を含むように円板４０の回転方向に沿ってリング状に連続して形成されている。拡散部材４１は、集光レンズ３１によって集光されたレーザー光Ｌａを適度に拡散させて拡散光として第１コリメート光学系６１に向けて射出する。
【００３４】
円板４０は、使用時において、モーター５０の駆動により、例えば７５００ｒｐｍで回転する。これにより、拡散部材４１の温度上昇を回避することができる。
【００３５】
第１コリメート光学系６１は、拡散部材４１から射出された拡散光を略平行化する。
【００３６】
一対の第１レンズアレイ１２１，１３１は、第１コリメート光学系６１から射出された光の輝度分布を均一化する。
【００３７】
前側レンズアレイ１２１は、複数の小レンズ１２１ａを有する。前側レンズアレイ１２１は、第１コリメート光学系６１から射出された光を複数の部分光束に分割する。図示はしないが、小レンズ１２１ａは、光軸ＡＸ１と直交する面内に複数行・複数列のマトリクス状に配置されている。小レンズ１２１ａの外形形状は、光変調部４００のうち液晶光変調装置４００Ｂの画像形成領域の外形形状と略相似形である。
【００３８】
後側レンズアレイ１３１は、前側レンズアレイ１２１の複数の小レンズ１２１ａに対応する複数の小レンズ１３１ａを有する。後側レンズアレイ１３１は、重畳レンズ１５１とともに、前側レンズアレイ１２１の各小レンズ１２１ａの像を液晶光変調装置４００Ｂの画像形成領域近傍に結像させる。
【００３９】
第１偏光変換素子１４１は、前側レンズアレイ１２１により分割された各部分光束を、偏光方向の揃った直線偏光光として射出する。
【００４０】
重畳レンズ１５１は、第１偏光変換素子１４１から射出された各部分光束を集光して液晶光変調装置４００Ｂの画像形成領域近傍に重畳させる。
【００４１】
一対の第１レンズアレイ１２１，１３１及び重畳レンズ１５１は、青色光ＬＢの面内光強度分布を均一にするインテグレーター光学系を構成する。これにより、青色光ＬＢの面内照度が液晶光変調装置４００Ｂの画像形成領域近傍で均一化される。
【００４２】
第１遮光部材７１は、一対の第１レンズアレイ１２１，１３１の間の光路上に配置されている。第１遮光部材７１は、前側レンズアレイ１２１から射出された光の一部を遮光する。尚、第１遮光部材７１の詳細な構成については後述する。
【００４３】
以上のような構成により、第１光源装置１１は、白色光の一部の成分である青色光ＬＢを、液晶光変調装置４００Ｂに向けて射出する。
【００４４】
第２光源装置１２は、励起光源２２と、集光レンズ３２と、蛍光体４２と、第２コリメート光学系６２と、一対の第２レンズアレイ（前側レンズアレイ１２２及び後側レンズアレイ１３２）と、第２偏光変換素子１４２と、重畳レンズ１５２と、第２遮光部材７２と、を備えている。
【００４５】
励起光源２２は、青色のレーザー光Ｌｂを射出するレーザー光源である。レーザー光Ｌｂは、青色光の波長帯域を有する。例えば、レーザー光Ｌｂの発光強度のピークは４４５ｎｍであり、レーザー光Ｌｂの波長帯域は４３０ｎｍ〜４５０ｎｍの範囲である。
【００４６】
集光レンズ３２は、励起光源２２から射出されたレーザー光Ｌｂを略集光した状態で蛍光体４２に入射させる。
【００４７】
蛍光体４２は、例えば、（イットリウム・アルミニウム・ガーネット）系蛍光体である（Ｙ，Ｇｄ）３（Ａｌ，Ｇａ）５Ｏ１２：Ｃｅを含む層からなる。蛍光体４２は、励起光源２２から射出されたレーザー光Ｌｂ（青色光）を赤色光及び緑色光を含む光に変換する。具体的には、蛍光体４２は、波長４４５ｎｍの励起光であるレーザー光Ｌｂによって励起され、赤色光及び緑色光を含む蛍光である黄色光ＬＹに変換して第２コリメート光学系６２に向けて射出する。
【００４８】
第２コリメート光学系６２は、蛍光体４２から射出された蛍光を略平行化する。
【００４９】
一対の第２レンズアレイ１２２，１３２は、第２コリメート光学系６２から射出された光の輝度分布を均一化する。
【００５０】
前側レンズアレイ１２２は、複数の小レンズ１２２ａを有する。前側レンズアレイ１２２は、第２コリメート光学系６２から射出された光を複数の部分光束に分割する。図示はしないが、小レンズ１２２ａは、光軸ＡＸ２と直交する面内に複数行・複数列のマトリクス状に配置されている。小レンズ１２２ａの外形形状は、光変調部４００のうち液晶光変調装置４００Ｒ、液晶光変調装置４００Ｇの画像形成領域の外形形状と略相似形である。
【００５１】
後側レンズアレイ１３２は、前側レンズアレイ１２２の複数の小レンズ１２２ａに対応する複数の小レンズ１３２ａを有する。後側レンズアレイ１３２は、重畳レンズ１５２とともに、前側レンズアレイ１２２の各小レンズ１２２ａの像を液晶光変調装置４００Ｒ、液晶光変調装置４００Ｇの画像形成領域近傍に結像させる。
【００５２】
第２偏光変換素子１４２は、前側レンズアレイ１２２により分割された各部分光束を、偏光方向の揃った直線偏光光として射出する。
【００５３】
重畳レンズ１５２は、第２偏光変換素子１４２から射出された各部分光束を集光して液晶光変調装置４００Ｒ，液晶光変調装置４００Ｇの画像形成領域近傍に重畳させる。
【００５４】
一対の第２レンズアレイ１２２，１３２及び重畳レンズ１５２は、黄色光ＬＹの面内光強度分布を均一にするインテグレーター光学系を構成する。これにより、黄色光ＬＹの面内照度が液晶光変調装置４００Ｒ、液晶光変調装置４００Ｇの各々の画像形成領域近傍で均一化される。
【００５５】
第２遮光部材７２は、一対の第１レンズアレイ１２２，１３２の間の光路上に配置されている。第２遮光部材７２は、前側レンズアレイ１２２から射出された光の一部を遮光する。尚、第２遮光部材７２の詳細な構成については後述する。
【００５６】
以上のような構成により、第２光源装置１２は、白色光の一部の成分である黄色光ＬＹを、色分離導光光学系２０に向けて射出する。
【００５７】
尚、第２光源装置１２において、蛍光体４２及びその周辺の構成に関して、第１光源装置１１と同様、回転機構を設けてリング状の蛍光体を回転可能に支持する構成としてもよい。
【００５８】
色分離導光光学系２０は、第２光源装置１２から射出される黄色光ＬＹを緑色光ＬＧと赤色光ＬＲとに分離するとともに、緑色光ＬＧ及び赤色光ＬＲの各々を、緑色光ＬＧ及び赤色光ＬＲの各々の照明対象となる液晶光変調装置４００Ｇ、液晶光変調装置４００Ｒに導光する。
【００５９】
色分離導光光学系２０は、ダイクロイックミラー２１０と、反射ミラー２２０，２３０と、リレーレンズ２６０，２７０と、を備えている。色分離導光光学系２０と液晶光変調装置４００Ｒとの間の光路上には、フィールドレンズ３００Ｒが配置されている。色分離導光光学系２０と液晶光変調装置４００Ｇとの間の光路上には、フィールドレンズ３００Ｇが配置されている。第１光源装置１１と液晶光変調装置４００Ｂとの間の光路上には、フィールドレンズ３００Ｂが配置されている。
【００６０】
ダイクロイックミラー２１０は、基板上に、所定の波長領域の光を反射して、他の波長領域の光を通過させる波長選択透過膜が形成されたミラーである。ダイクロイックミラー２１０は、緑色光成分を反射し、赤色光成分を透過させる。反射ミラー２２０，２３０は、赤色光成分を反射するミラーである。
【００６１】
黄色光ＬＹの成分のうち、ダイクロイックミラー２１０で反射された緑色光ＬＧは、フィールドレンズ３００Ｇを通過して緑色光用の液晶光変調装置４００Ｇの画像形成領域に入射する。
【００６２】
黄色光ＬＹの成分のうち、ダイクロイックミラー２１０を通過した赤色光ＬＲは、リレーレンズ２６０、入射側の反射ミラー２２０、リレーレンズ２７０、射出側の反射ミラー２３０を経て、フィールドレンズ３００Ｒを通過して赤色光用の液晶光変調装置４００Ｒの画像形成領域に入射する。リレーレンズ２６０，２７０及び反射ミラー２２０，２３０は、ダイクロイックミラー２１０を通過した赤色光成分を液晶光変調装置４００Ｒまで導くリレー光学系として機能する。
【００６３】
一方、第１光源装置１１から射出された青色光ＬＢは、色分離導光光学系２０を経ることなく、フィールドレンズ３００Ｂを経て青色光用の液晶光変調装置４００Ｂの画像形成領域に入射する。
【００６４】
尚、青色光ＬＢの光路長は、緑色光ＬＧ及び赤色光ＬＲの光路に対応して光路長が調整されていてもよい。この場合には、リレー光学系を用いて調整されていてもよい。
【００６５】
液晶光変調装置４００Ｒ，４００Ｇ，４００Ｂは、入射した色光を画像情報に応じて変調してカラー画像を形成するものである。具体的には、液晶光変調装置４００Ｂは第１光源装置１１から射出された青色光ＬＢを変調し、液晶光変調装置４００Ｇは第２光源装置１２から射出された黄色光ＬＹの一部である緑色光ＬＧを変調し、液晶光変調装置４００Ｒは第２光源装置１２から射出された黄色光ＬＹの他の一部である赤色光ＬＲを変調する。
【００６６】
尚、図示を省略したが、各フィールドレンズ３００Ｒ，３００Ｇ，３００Ｂと各液晶光変調装置４００Ｒ，４００Ｇ，４００Ｂとの間には、それぞれ入射側偏光板が配置される。また、各液晶光変調装置４００Ｒ，４００Ｇ，４００Ｂとクロスダイクロイックプリズム５００との間には、それぞれ射出側偏光板が配置される。これら入射側偏光板、液晶光変調装置４００Ｒ，４００Ｇ，４００Ｂ及び射出側偏光板によって、入射された各色光の光変調が行われる。
【００６７】
液晶光変調装置４００Ｒ，４００Ｇ，４００Ｂは、一対の透明なガラス基板に電気光学物質である液晶を密閉封入した透過型の液晶光変調装置である。液晶光変調装置４００Ｒ，４００Ｇ，４００Ｂは、例えば、ポリシリコンＴＦＴをスイッチング素子として、与えられた画像信号に応じて、入射側偏光板から射出された１種類の直線偏光の偏光方向を変調する。
【００６８】
クロスダイクロイックプリズム５００は、射出側偏光板から射出された色光毎に変調された光学像を合成してカラー画像を形成する光学素子である。このクロスダイクロイックプリズム５００は、４つの直角プリズムを貼り合わせた平面視略正方形状をなす。直角プリズム同士を貼り合わせた略Ｘ字状の界面には、誘電体多層膜である一対のダイクロイック膜（第１ダイクロイック膜５０１及び第２ダイクロイック膜５０２）が形成されている。略Ｘ字状の一方の界面に形成された第１ダイクロイック膜５０１は、赤色光ＬＲ及び緑色光ＬＧを透過し、青色光ＬＢを反射するものである。他方の界面に形成された第２ダイクロイック膜５０２は、緑色光ＬＧ及び青色光ＬＢを透過し、赤色光ＬＲを反射するものである。これらのダイクロイック膜５０１，５０２によって赤色光ＬＲ及び青色光ＬＢは曲折され、緑色光ＬＧの進行方向と揃えられることにより、３つの色光が合成される。
【００６９】
クロスダイクロイックプリズム５００から射出されたカラー画像は、投射光学系６００によって拡大投写され、スクリーンＳＣＲ上で画像を形成する。
【００７０】
次に、第１光源装置１１における拡散部材４１から射出される拡散光の光強度分布及び第２光源装置１２における蛍光体４２から放射される蛍光の光強度分布の関係について、図２及び図３を用いて説明する。
図２は、拡散光の光強度分布を示す図である。
図３は、蛍光の光強度分布を示す図である。
図２において、横軸は、拡散光の光軸ＡＸ１を中心としたときの拡散光の射出位置（図２では単に位置と示す）である。縦軸は、拡散光の光強度である。
図３において、横軸は、蛍光の光軸ＡＸ２を中心としたときの蛍光の放射位置（図３では単に位置と示す）である。
【００７１】
図２及び図３に示すように、拡散光と蛍光とでは、光強度分布が大きく異なる。具体的には、拡散光の光強度の最大値（ピーク強度）は蛍光の光強度の最大値（ピーク強度）よりも大きい。蛍光の光強度分布の半値幅は、拡散光の光強度分布の半値幅よりも大きい。
【００７２】
この理由は以下によるものと考えられる。
拡散光は、固体光源２１から射出された指向性の高い光が拡散部材４１によって拡散されたものである。そのため、拡散光には、ある程度の指向性が残存している。
一方、蛍光は、励起光源２２から射出された光によって励起されて蛍光体４２から放射されるものである。蛍光は、蛍光体４２に入射する光の指向性の有無に関わらず、放射状に等方的に広がる性質を有する。
【００７３】
次に、本実施形態に係る遮光部材の構成を説明する前に、比較例に係る遮光部材の構成について図４を用いて説明する。
図４は、比較例に係る遮光部材１０７０の平面図である。
ここで、遮光部材１０７０は、拡散部材と光変調装置との間の光路上（例えば、一対の第１レンズアレイの間の光路上）及び蛍光体と光変調装置との間の光路上（例えば、一対の第２レンズアレイの間の光路上）の各々に配置されるものとする。
【００７４】
図４に示すように、遮光部材１０７０は、遮光部１０７０ｍと、拡散光の光軸ＡＸ１（蛍光の光軸ＡＸ２）を中心とする開口部１０７０ｈとを有する。遮光部１０７０ｍの平面視形状は矩形枠状である。開口部１０７０ｈの平面視形状は矩形である。尚、図４では、開口部１０７０ｈの面積（開口面積）を符号ＢＸで示している。
【００７５】
ここで、投射画像のホワイトバランスを維持する観点から、光変調装置に入射する拡散光の光量（例えば、青色光の光量）と蛍光の光量（例えば、赤色光及び緑色光の光量）とはそれぞれ所定の値に設定される。
【００７６】
以下、比較例に係る遮光部材１０７０の作用について、図５及び図６を用いて説明する。
図５は、比較例に係る拡散光の遮光状態を説明するための図である。
図６は、比較例に係る蛍光の遮光状態を説明するための図である。
図５及び図６において、横軸に直交する２本の破線は、開口部１０７０ｈ（開口面積ＢＸ）の輪郭（図４に示す開口部１０７０ｈと遮光部１０７０ｍとの境界線）に相当する。
【００７７】
図５及び図６に示すように、比較例においては、上述した理由から、遮光部材１０７０による光の遮光量が、拡散光と蛍光とで大きく異なる。具体的には、拡散光の光路上の遮光部材１０７０による拡散光の遮光量は、蛍光の光路上の遮光部材１０７０による蛍光の遮光量よりも小さい。言い換えると、拡散光の光路上の遮光部材１０７０の開口部１０７０ｈを通過する拡散光の光量ＳＡＸは、蛍光の光路上の遮光部材１０７０の開口部１０７０ｈを通過する蛍光の光量ＳＢＸよりも大きい。
【００７８】
そのため、比較例に係る遮光部材１０７０を上述した光路上にそのまま適用したのでは、光変調装置に入射する拡散光の光量が所定の値よりも大きくなり、光変調装置に入射する蛍光の光量が所定の値よりも小さくなる。
このような構成であると、投射画像のホワイトバランスが崩れてしまう（例えば、拡散光が青色光であり、蛍光が黄色光である場合、青味が強くなる）ことが本発明者の検討によって明らかになっている。
【００７９】
そこで、本実施形態においては、上記の課題を解決するために、第１遮光部材７１における第１開口面積Ａ１に対する第１遮光面積Ａ２の比Ａ２／Ａ１が、第２遮光部材７２における第２開口面積Ｂ１に対する第２遮光面積Ｂ２の比Ｂ２／Ｂ１よりも大きいものとした。
【００８０】
ここで、拡散光の光軸ＡＸ１の方向から見たときの第１遮光部材７１の開口部７１ｈの面積を第１開口面積Ａ１、拡散光の光軸ＡＸ１の方向から見たときの第１遮光部材７１が拡散光を遮光する部分の面積を第１遮光面積Ａ２、蛍光の光軸ＡＸ２の方向から見たときの第２遮光部材７２の開口部７２ｈの面積を第２開口面積Ｂ１、蛍光の光軸ＡＸ２の方向から見たときの第２遮光部材７２が蛍光を遮光する部分の面積を第２遮光面積Ｂ２とする。
【００８１】
以下、第１遮光部材及び第２遮光部材の詳細について、図７及び図８を用いて説明する。
【００８２】
図７は、本実施形態に係る第１遮光部材７１の平面図である。
図８は、本実施形態に係る第２遮光部材７２の平面図である。
上述したように、第１遮光部材７１は、拡散部材４１と液晶光変調装置４００Ｂとの間の光路上のうち一対の第１レンズアレイ１２１，１３１の間の光路上に配置されている。一方、第２遮光部材７２は、蛍光体４２と光変調部４００との間の光路上のうち一対の第２レンズアレイ１２２，１３２の間の光路上の各々に配置されている。
【００８３】
図７に示すように、第１遮光部材７１は、遮光部７１ｍと、拡散光の光軸ＡＸ１を中心とする開口部７１ｈとを有する。遮光部７１ｍの平面視形状は矩形枠状である。開口部７１ｈの平面視形状は矩形である。尚、図７では、開口部７１ｈの面積（第１開口面積）を符号Ａ１で示している。
【００８４】
図８に示すように、第２遮光部材７２は、遮光部７２ｍと、蛍光の光軸ＡＸ２を中心とする開口部７２ｈとを有する。遮光部７２ｍの平面視形状は矩形枠状である。開口部７２ｈの平面視形状は矩形である。尚、図８では、開口部７２ｈの面積（第２開口面積）を符号Ｂ１で示している。
図７及び図８に示すように、第１遮光部材７１の開口部７１ｈの第１開口面積Ａ１は、第２遮光部材７２の開口部７２ｈの第２開口面積Ｂ１よりも小さい。
【００８５】
次に、第１遮光部材及び第２遮光部材の各々における開口面積と遮光面積との関係について、図９及び図１０を用いて説明する。
図９は、第１遮光部材７１における第１開口面積Ａ１及び第１遮光面積Ａ２を説明するための図である。
図１０は、第２遮光部材７２における第２開口面積Ｂ１及び第２遮光面積Ｂ２を説明するための図である。
【００８６】
所定の光路上に遮光部材を配置する場合、漏れ光や迷光を抑制する観点から、遮光部の外縁の大きさは、遮光部に入射する光の光束幅よりも大きく設定される。
【００８７】
図９に示すように、第１遮光部材７１における遮光部７１ｍは、第１遮光部７１ａと第２遮光部７１ｂとを有する。第１遮光部７１ａは、遮光部７１ｍのうち実際に拡散光が入射する部分（遮光部７１ｍが実際に拡散光を遮光する部分）である。第２遮光部７１ｂは、遮光部７１ｍのうち実際には拡散光が入射しない部分（遮光部７１ｍが実際に拡散光を遮光しない部分）である。
第１遮光部７１ａは、特許請求の範囲に記載の「第１遮光部材が拡散光を遮光する部分」に相当する。第１遮光部７１ａの面積Ａ２は、特許請求の範囲に記載の「第１遮光面積Ａ２」に相当する。
【００８８】
第１遮光部７１ａについて、図１１を用いて説明する。
図１１は、拡散光の光強度分布と第１遮光面積Ａ２との関係を説明するための図である。図１１において、横軸に直交する２本の破線は、第１開口面積Ａ１と第１遮光面積Ａ２とを足し合わせた部分（当該部分の面積Ａ３）の輪郭（図９に示す第１遮光部７１ａと第２遮光部７１ｂとの境界線）に相当する。
【００８９】
図１１に示すように、例えば、第１遮光部材７１に入射する光の光量は、一対の第１レンズアレイ１２１，１３１の間の光路上を通る拡散光の光量のうち光強度が低い部分を除いた光量とする。具体的には、第１遮光部材７１における開口部７１ｈ及び第１遮光部７１ａに入射する光の光量は、一対の第１レンズアレイ１２１，１３１の間の光路上を通る拡散光の全光量の９９％の光量ＳＡ１とする。
【００９０】
図１０に示すように、第２遮光部材７２における遮光部７２ｍは、第１遮光部７２ａと第２遮光部７２ｂとを有する。第１遮光部７２ａは、遮光部７２ｍのうち実際に蛍光が入射する部分（遮光部７２ｍが実際に蛍光を遮光する部分）である。第２遮光部７２ｂは、遮光部７２ｍのうち実際には蛍光が入射しない部分（遮光部７２ｍが実際に蛍光を遮光しない部分）である。
第１遮光部７２ａは、特許請求の範囲に記載の「第２遮光部材が蛍光を遮光する部分」に相当する。第１遮光部７２ａの面積Ｂ２は、特許請求の範囲に記載の「第２遮光面積Ｂ２」に相当する。
【００９１】
第１遮光部７２ａについて、図１２を用いて説明する。
図１２は、蛍光の光強度分布と第２遮光面積との関係を説明するための図である。図１２において、横軸に直交する２本の破線は、第２開口面積Ｂ１と第２遮光面積Ｂ２とを足し合わせた部分（当該部分の面積Ｂ３）の輪郭（図１０に示す第１遮光部７２ａと第２遮光部７２ｂとの境界線）に相当する。
【００９２】
図１２に示すように、例えば、第２遮光部材７２に入射する光の光量は、一対の第２レンズアレイ１２２，１３２の間の光路上を通る蛍光の光量のうち光強度が低い部分を除いた光量とする。具体的には、第２遮光部材７２における開口部７２ｈ及び第１遮光部７２ａに入射する光の光量は、一対の第２レンズアレイ１２２，１３２の間の光路上を通る蛍光の全光量の９９％の光量ＳＢ１とする。
【００９３】
本実施形態においては、図９及び図１０に示すように、第１遮光部材７１における第１開口面積Ａ１に対する第１遮光面積Ａ２の比Ａ２／Ａ１が、第２遮光部材７２における第２開口面積Ｂ１に対する第２遮光面積Ｂ２の比Ｂ２／Ｂ１よりも大きい。
【００９４】
以下、本実施形態に係る遮光部材の作用について、図１３及び図１４を用いて説明する。
図１３は、本実施形態に係る拡散光の遮光状態を説明するための図である。
図１４は、本実施形態に係る蛍光の遮光状態を説明するための図である。
図１３において、横軸に直交する２本の破線は、開口部７１ｈ（第１開口面積Ａ１）の輪郭（図９に示す開口部７１ｈと遮光部７１ｍの第１遮光部７１ａとの境界線）に相当する。図１４において、横軸に直交する２本の破線は、開口部７２ｈ（第２開口面積Ｂ１）の輪郭（図１０に示す開口部７２ｈと遮光部７２ｍの第１遮光部７２ａとの境界線）に相当する。
【００９５】
図５及び図６に示したように、比較例においては、遮光部材１０７０を拡散光の光路上及び蛍光の光路上の各々にそのまま適用しているため、拡散光の光路上の遮光部材１０７０の開口部１０７０ｈを通過する拡散光の光量ＳＡＸは、蛍光の光路上の遮光部材１０７０の開口部１０７０ｈを通過する蛍光の光量ＳＢＸよりも大きくなっていた。その結果、投射画像のホワイトバランスが崩れてしまうという問題があった。
【００９６】
これに対し、本実施形態においては、第１遮光部材７１における第１開口面積Ａ１に対する第１遮光面積Ａ２の比Ａ２／Ａ１が、第２遮光部材７２における第２開口面積Ｂ１に対する第２遮光面積Ｂ２の比Ｂ２／Ｂ１よりも大きいため、図１３及び図１４に示すように、拡散光における光強度分布のうち裾の部分（光強度が低い部分）を蛍光における光強度分布のうち裾の部分（光強度が低い部分）よりも大きく遮光することができる。そのため、第１開口面積Ａ１に対する第１遮光面積Ａ２の比Ａ２／Ａ１または第２開口面積Ｂ１に対する第２遮光面積Ｂ２の比Ｂ２／Ｂ１を所定の値に設定することにより、拡散光の光路上の第１遮光部材７１の開口部７１ｈを通過する拡散光の光量ＳＡ２と、蛍光の光路上の第２遮光部材７２の開口部７２ｈを通過する蛍光の光量ＳＢ２とを等しくすることができる。これにより、液晶光変調装置４００Ｂに入射する拡散光（青色光ＬＢ）の光量と、液晶光変調装置４００Ｒ及び液晶光変調装置４００Ｇに入射する蛍光（液晶光変調装置４００Ｒに入射する赤色光ＬＲ及び液晶光変調装置４００Ｇに入射する緑色光ＬＧ）の光量とを等しくすることができる。従って、投射画像のホワイトバランスを維持することができる。
【００９７】
また、本実施形態においては、第１遮光部材７１が一対の第１レンズアレイ１２１，１３１の間の光路上に配置されている。
拡散光の光強度分布は、拡散部材４１と液晶光変調装置４００Ｂとの間の光路上の位置によって異なる。
仮に、第１遮光部材７１が第１偏光変換素子１４１と液晶光変調装置４００Ｂとの間の光路上に配置される構成であると、拡散光の光強度分布が初期の分布と大きく異なる場合がある。この場合、拡散光を効果的に遮光することが困難となる。
これに対し、第１遮光部材７１が一対の第１レンズアレイ１２１，１３１の間の光路上に配置される構成によれば、第１遮光部材７１が第１偏光変換素子１４１と液晶光変調装置４００Ｂとの間の光路上に配置される構成に比べて、第１遮光部材７１の配置位置が拡散部材４１に近い。そのため、拡散光の光強度分布が初期の分布と異なることが抑制される。
従って、この構成によれば、拡散光を効果的に遮光しやすくなる。
【００９８】
また、本実施形態においては、第２遮光部材７２が一対の第２レンズアレイ１２２，１３２の間の光路上に配置されている。
蛍光の光強度分布は、蛍光体４２と光変調部４００との間の光路上の位置によって異なる。
仮に、第２遮光部材７２が第２偏光変換素子１４２と光変調部４００との間の光路上に配置される構成であると、蛍光の光強度分布が初期の分布と大きく異なる場合がある。この場合、蛍光を効果的に遮光することが困難となる。
これに対し、第２遮光部材７２が一対の第２レンズアレイ１２２，１３２の間の光路上に配置される構成によれば、第２遮光部材７２が第２偏光変換素子１４２と光変調部４００との間の光路上に配置される構成に比べて、第２遮光部材７２の配置位置が蛍光体４２に近い。そのため、蛍光の光強度分布が初期の分布と異なることが抑制される。
従って、この構成によれば、蛍光を効果的に遮光しやすくなる。
【００９９】
尚、第１遮光部材７１は、固体光源２１から射出される光の光強度分布に対応して、第１開口面積Ａ１に対する第１遮光面積Ａ２の比Ａ２／Ａ１が調整可能に構成されていてもよい。
これにより、拡散光における光強度分布の裾の部分（光強度が低い部分）が広かったり狭かったりする場合であっても、液晶光変調装置４００Ｂに入射する拡散光（青色光ＬＢ）の光量を所定の値に調整することができる。従って、液晶光変調装置４００Ｂに入射する拡散光（青色光ＬＢ）の光量と、液晶光変調装置４００Ｒ及び液晶光変調装置４００Ｇに入射する蛍光（液晶光変調装置４００Ｒに入射する赤色光ＬＲ及び液晶光変調装置４００Ｇに入射する緑色光ＬＧ）の光量とを等しくすることが容易となる。
例えば、比Ａ２／Ａ１を調整可能な構成としては、機構式のシャッター（メカニカルシャッター）や電子制御式のシャッター（電子シャッター）を用いることができる。
【０１００】
また、第２遮光部材７２は、励起光源２２から射出される光の光強度分布に対応して、第２開口面積Ｂ１に対する第２遮光面積Ｂ２の比Ｂ２／Ｂ１が調整可能に構成されていてもよい。
これにより、蛍光における光強度分布の裾の部分（光強度が低い部分）が広かったり狭かったりする場合であっても、液晶光変調装置４００Ｒ及び液晶光変調装置４００Ｇに入射する蛍光の光量を所定の値に調整することができる。従って、液晶光変調装置４００Ｂに入射する拡散光（青色光ＬＢ）の光量と、液晶光変調装置４００Ｒ及び液晶光変調装置４００Ｇに入射する蛍光（液晶光変調装置４００Ｒに入射する赤色光ＬＲ及び液晶光変調装置４００Ｇに入射する緑色光ＬＧ）の光量とを等しくすることが容易となる。
例えば、比Ｂ２／Ｂ１を調整可能な構成としては、機構式のシャッター（メカニカルシャッター）や電子制御式のシャッター（電子シャッター）を用いることができる。
【０１０１】
また、第１遮光部材７１は、投射光学系６００によって投射される投射画像の輝度またはコントラストに対応して、第１開口面積Ａ１に対する第１遮光面積Ａ２の比Ａ２／Ａ１が調整可能に構成されていてもよい。
これにより、投射画像の輝度またはコントラストを高めたい場合等の目的に応じて、液晶光変調装置４００Ｂに入射する拡散光の光量を適宜調整することができる。従って、投射画像の高輝度化または高コントラスト化を図ることが容易となる。
【０１０２】
また、第２遮光部材７２は、投射光学系６００によって投射される投射画像の輝度またはコントラストに対応して、第２開口面積Ｂ１に対する第２遮光面積Ｂ２の比Ｂ２／Ｂ１が調整可能に構成されていてもよい。
これにより、投射画像の輝度またはコントラストを高めたい場合等の目的に応じて、液晶光変調装置４００Ｒ及び液晶光変調装置４００Ｇに入射する蛍光の光量を適宜調整することができる。従って、投射画像の高輝度化または高コントラスト化を図ることが容易となる。
【０１０３】
尚、本実施形態では、第１遮光部材７１が一対の第１レンズアレイ１２１，１３１の間の光路上に配置されている例を挙げて説明したが、これに限らない。例えば、第１遮光部材７１が後側レンズアレイ１３１と第１偏光変換素子１４１との間の光路上に配置されていてもよい。このような配置であっても、拡散光を効果的に遮光しやすくなる。
また、第１遮光部材７１が第１偏光変換素子１４１と液晶光変調装置４００Ｂとの間の光路上に配置されていてもよい。ただし、拡散光を効果的に遮光しやすくする観点からは、上述の配置にしたほうがよい。
【０１０４】
また、本実施形態では、第２遮光部材７２が一対の第２レンズアレイ１２２，１３２の間の光路上に配置されている例を挙げて説明したが、これに限らない。例えば、第２遮光部材７２が後側レンズアレイ１３２と第２偏光変換素子１４２との間の光路上に配置されていてもよい。このような配置であっても、蛍光を効果的に遮光しやすくなる。
また、第２遮光部材７２が第２偏光変換素子１４２と光変調部４００との間の光路上に配置されていてもよい。ただし、蛍光を効果的に遮光しやすくする観点からは、上述の配置にしたほうがよい。
【０１０５】
また、本実施形態では、固体光源２１として青色光を射出する固体光源、励起光源２２として青色光を射出する励起光源、蛍光体４２として青色光によって励起されて黄色光を放射する蛍光体を挙げて説明したが、これに限らない。
例えば、固体光源として青色光を射出する第１固体光源と赤色光を射出する第２固体光源、励起光源として青色光を射出する励起光源、蛍光体として青色光によって励起されて緑色光を放射する蛍光体を用いてもよい。
【０１０６】
また、本実施形態では、第１遮光部材７１における遮光部７１ｍの平面視形状が矩形枠状、開口部７１ｈの平面視形状が矩形、第２遮光部材７２における遮光部７２ｍの平面視形状が矩形枠状、開口部７２ｈの平面視形状が矩形である例を挙げて説明したが、これに限らない。例えば、遮光部の平面視形状がリング状、開口部の平面視形状が円形または楕円形であってもよい。遮光部の平面視形状、開口部の平面視形状は、適宜、種々の形状を採用することができる。
また、本実施形態では、第１開口面積Ａ１に対する第１遮光面積Ａ２の比Ａ２／Ａ１または第２開口面積Ｂ１に対する第２遮光面積Ｂ２の比Ｂ２／Ｂ１を所定の値に設定することにより、拡散光の光路上の第１遮光部材７１の開口部７１ｈを通過する拡散光の光量ＳＡ２と、蛍光の光路上の第２遮光部材７２の開口部７２ｈを通過する蛍光の光量ＳＢ２とを等しくする例を挙げて説明したが、これに限らない。例えば、液晶光変調装置４００Ｒ、４００Ｇ、４００Ｂでホワイトバランスを調整できる程度まで、拡散光の光量ＳＡ２と蛍光の光量ＳＢ２との差が小さくなるように、比Ａ２／Ａ１を比Ｂ２／Ｂ１より大きくできる。
【０１０７】
尚、上記実施形態におけるプロジェクターは透過型のプロジェクターであるが、これに限定されるものではない。例えば、反射型のプロジェクターであってもよい。ここで、「透過型」とは、透過型の液晶素子等のように光変調素子が光を透過するタイプであることを意味している。「反射型」とは、反射型の液晶素子等のように光変調素子が光を反射するタイプであることを意味している。反射型のプロジェクターに本発明を適用した場合にも、透過型のプロジェクターと同様の効果を得ることができる。  
【０１０８】
また、上記実施形態のプロジェクターでは、光変調装置として液晶光変調装置を用いているが、本発明はこれに限定されるものではない。光変調装置としては、一般に、画像情報に応じて入射光を変調するものであればよく、マイクロミラー型光変調素子等を利用してもよい。マイクロミラー型光変調素子としては、例えば、ＤＭＤ（デジタルマイクロミラーデバイス）（ＴＩ社の商標）を用いることができる。
【０１０９】
本発明は、投射画像を観察する側から投射するフロント投射型プロジェクターに適用する場合にも、投射画像を観察する側とは反対の側から投射するリア投射型プロジェクターに適用する場合にも、適用することができる。
【０１１０】
以上、図面を参照しながら本発明に係る好適な実施形態について説明したが、本発明は上記の実施形態に限定されないことは言うまでもない。上記の実施形態において示した各構成部材の諸形状や組み合わせ等は一例であって、本発明の主旨から逸脱しない範囲において設計要求等に基づき種々変更可能である。
その他、プロジェクターの各構成要素の形状、数、配置、材料、形成方法等に関する具体的な記載は、上記の実施形態に限定されることなく、適宜変更が可能である。
【符号の説明】
【０１１１】
２１…固体光源、２２…励起光源、４１…拡散部材、４２…蛍光体、６１…第１コリメート光学系、６２…第２コリメート光学系、７１…第１遮光部材、７１ｈ…開口部、７２…第２遮光部材、７２ｈ…開口部、１００…プロジェクター、１２１，１３１…一対の第１レンズアレイ、１２２，１３２…一対の第２レンズアレイ、１４１…第１偏光変換素子、１４２…第２偏光変換素子、４００Ｒ…液晶光変調装置（光変調装置）、４００Ｇ…液晶光変調装置（光変調装置）、４００Ｂ…液晶光変調装置（光変調装置）、６００…投射光学系、ＡＸ１…拡散光の光軸、ＡＸ２…蛍光の光軸
【図１】
2014106452.tif 000003
【図２】
2014106452.tif 000004
【図３】
2014106452.tif 000005
【図４】
2014106452.tif 000006
【図５】
2014106452.tif 000007
【図６】
2014106452.tif 000008
【図７】
2014106452.tif 000009
【図８】
2014106452.tif 000010
【図９】
2014106452.tif 000011
【図１０】
2014106452.tif 000012
【図１１】
2014106452.tif 000013
【図１２】
2014106452.tif 000014
【図１３】
2014106452.tif 000015
【図１４】
2014106452.tif 000016